(57)【要約】【課題】構成部品を増やすことなく、設置された状態での位置ずれがしにくい電気機器を提供することを目的とする。【解決手段】筐体３と、筐体３に設けられ、筐体３から延出するコード９を筐体３の設置面１１に設置するためのコード設置部７とを有する。【選択図】図１
2012109318.tif 000002
【特許請求の範囲】
【請求項１】
筐体と、
前記筐体に設けられ、前記筐体から延出するコードが前記筐体の設置面から突出するように、前記コードを前記筐体の設置面に設置するコード設置部と、
有することを特徴とする電気機器。
【請求項２】
請求項１に記載の電気機器において、
前記筐体の設置面は複数設けられており、
前記コード設置部は、前記複数の設置面の少なくとも一つに設けられていることを
特徴とする電気機器。
【請求項３】
請求項１に記載の電気機器において、
前記筐体の設置面は複数設けられており、
前記筐体から延出するコードは、前記各設置面のうちの少なくとも１つの設置面を選択して設置されるように構成されていることを特徴とする電気機器。
【請求項４】
請求項１〜請求項３のいずれか１項に記載の電気機器において、
前記コード設置部は、前記設置面に形成された凹部で構成されていることを特徴とする電気機器。
【請求項５】
請求項４に記載の電気機器において、
前記筐体は、部材同士を組み合わせて構成されており、前記凹部は、前記部材の境界に形成されていることを特徴とする電気機器。
【発明の詳細な説明】
【技術分野】
【０００１】
本発明は、電気機器に係り、特にコードの取り回しに係る電気機器の構造に関する。
【背景技術】
【０００２】
従来、携帯型音楽プレーヤ（デジタルオーディオプレーヤ）やパソコン等に接続され、携帯型音楽プレーヤ等のサウンドをダイナミックに楽しめる携帯型スピーカ（ポータブルスピーカ）が知られている。
【０００３】
このようなポータブルスピーカは、軽量なのでデジタルオーディオプレーヤにコードで接続した際に動いてしまうことがある。すなわち、従来のポータブルスピーカは、ポータブルスピーカの筐体の底部を構成している材料の摩擦係数が小さいことやポータブルスピーカからデジタルオーディオプレーヤまで延出しているコードのたわみ等の影響で、動いてしまい設置位置がずれてしまうことがある。さらに、ポータブルスピーカが発する音の振動によって設置位置がずれてしまうことがある。
【０００４】
ポータブルスピーカの位置ずれを防止する対策として、ポータブルスピーカ筐体の底部の材質を摩擦係数の大きなものに変えたり、ポータブルスピーカ筐体の底部に滑り止めとして効果のあるエラストマーやシリコン等を用いたり、筐体底部にフットを別途設ける方式が採用されている。
【０００５】
ここで、上記従来の技術に関する文献として、たとえば特許文献１を掲げることができる。
【先行技術文献】
【特許文献】
【０００６】
【特許文献１】実公昭６３−３３３９２号公報
【発明の概要】
【発明が解決しようとする課題】
【０００７】
ところで、上記従来のポータブルスピーカでは、筐体の底部の素材を変えることや、ポータブルスピーカ筐体の底部に滑り止めやフットを設けること以外では、ポータブルスピーカ本体の動きを防止することが難しいという問題がある。
【０００８】
さらに、ポータブルスピーカのデザイン上、動きを防止する効果のある素材の採用が難しい場合や、複数の置き方（設置姿勢を選択しての置き方）を想定できるポータブルスピーカであっても、置き方が制限されてしまう等の問題がある。また、動きを防止するためのフットを作ることで部品点数も増えてしまう問題もある。
【０００９】
上記問題は、ポータブルスピーカだけでなく、ポータブルヘッドホンアンプ等の電気機器でも同様に発生する問題である。
【００１０】
本発明は、上記問題点に鑑みてなされたものであり、電気機器の構成部品を増やすことなく、設置された状態での位置ずれがしにくい電気機器を提供することを目的とする。
【課題を解決するための手段】
【００１１】
第１の発明は、筐体（３）と、前記筐体（３）に設けられ、前記筐体（３）から延出するコード（９）が前記筐体（３）の設置面（１１）から突出するように、前記コード（９）を前記筐体（３）の設置面（１１）に設置するコード設置部（７）と有する電気機器（１）である。
【００１２】
第２の発明は、第１の発明において、前記筐体（３）の設置面（１１）は複数設けられており、前記コード設置部（７）は、前記複数の設置面（１１）の少なくとも一つに設けられている電気機器（１）である。
【００１３】
第３の発明は、第１の発明において、前記筐体（３）の設置面（１１）は複数設けられており、前記筐体（３）から延出するコード（９）は、前記各設置面（１１）のうちの少なくとも１つの設置面（１１）を選択して設置されるように構成されている電気機器（１）である。
【００１４】
第４の発明は、第１〜第３の発明のいずれかにおいて、前記コード設置部（７）は、前記設置面（１１）に形成された凹部で構成されている電気機器（１）である。
【００１５】
第５の発明は、第４の発明において、前記筐体（３）は、部材（２１，２３）同士を組み合わせて構成されており、前記凹部は、前記部材（２１，２３）の境界に形成されている電気機器（１）である。
【発明の効果】
【００１６】
本発明によれば、電気機器の構成部品を増やすことなく、設置された状態での位置ずれがしにくい電気機器を提供することができるという効果を奏する。
【図面の簡単な説明】
【００１７】
【図１】ポータブルスピーカの斜視図である。
【図２】蓋部が外されたポータブルスピーカの斜視図である。
【図３】（ａ）は、コードが設置されていないポータブルスピーカの正面図であり、（ｂ）は、ポータブルスピーカの底面図であって（ａ）におけるＩＩＩ矢視図である。
【図４】（ａ）は、筐体本体部と蓋部との接合部に形成された凹部にコードが設置されているポータブルスピーカの正面図であり、（ｂ）は、ポータブルスピーカの底面図であって（ａ）におけるＩＶ矢視図である。
【図５】（ａ）は、蓋部に形成された凹部にコードが設置されているポータブルスピーカの正面図であり、（ｂ）は、ポータブルスピーカの底面図であって（ａ）におけるＶ矢視図である。
【図６】図４（ａ）におけるＶＩ断面を示す図であり、（ａ）は、筐体本体部と蓋部とコードとが分離している状態を示す図であり、（ｂ）は、筐体本体部と蓋部とが接合され、コードが分離している状態を示す図であり、（ｃ）は、筐体本体部と蓋部とが接合され、コードが設置されている状態を示す図である。
【図７】図４（ａ）におけるＶＩＩ断面を示す図であり、（ａ）は、筐体本体部と蓋部とコードとが分離している状態を示す図であり、（ｂ）は、筐体本体部と蓋部とが接合され、コードが分離している状態を示す図であり、（ｃ）は、筐体本体部と蓋部とが接合され、コードが設置されている状態を示す図である。
【図８】図５（ｂ）におけるＶＩＩＩ断面を示す図であり、（ａ）は、蓋部とコードとが分離している状態を示す図であり、（ｂ）は、蓋部にコードが設置されている状態を示す図である。
【図９】図５（ｂ）におけるＩＸ断面を示す図であり、（ａ）は、蓋部とコードとが分離している状態を示す図であり、（ｂ）は、蓋部にコードが設置されている状態を示す図である。
【図１０】コード設置部の変形例を示す図であり、（ａ）は、図８（ｂ）に対応する図であり、（ｂ）は、図９（ｂ）に対応する図である。
【図１１】変形例に係るコード設置部が形成されているポータブルスピーカにコードが設置された状態を示す正面図である。
【図１２】変形例に係るコード設置部が形成されているポータブルスピーカにコードが設置された状態を示す正面図である。
【図１３】変形例に係るコード設置部が形成されているポータブルスピーカにコードが設置された状態を示す正面図である。
【図１４】変形例に係るコード設置部が形成されているポータブルスピーカにコードが設置された状態を示す正面図である。
【図１５】（ａ）は、変形例に係るコード設置部が形成されているポータブルスピーカにコードが設置された状態を示す正面図であり、（ｂ）は、（ａ）におけるＸＶ矢視図である。
【図１６】（ａ）は、変形例に係るコード設置部が形成されているポータブルスピーカにコードが設置された状態を示す正面図であり、（ｂ）は、（ａ）におけるＸＶＩ矢視図である。
【図１７】変形例に係るコード設置部の断面図であり、図６に対応した図である。
【図１８】変形例に係るコード設置部の断面図であり、図７に対応した図である。
【図１９】他の機器が設置される設置面を備えたポータブルスピーカの斜視図である。
【発明を実施するための形態】
【００１８】
本発明の実施形態に係るポータブルスピーカ１は、図１、図３等で示すように、筐体３と、筐体３内に設けられたスピーカ本体５と、筐体３内に設けられたスピーカ本体５の駆動回路（図示せず）とを備えている。
【００１９】
筐体３にはコード設置部７が設けられている。コード設置部７は、筐体３の摩擦係数を増やすために、筐体３から延出するコード９を筐体３の設置面（筐体設置面）１１に設置するためのものである。なお、設置面１１はたとえば複数設けられており、コード設置部７は、複数の設置面１１のうちの少なくとも一つの設置面１１に設けられている。
【００２０】
筐体３の設置面１１は、筐体３のたとえば外面の一部に形成されている。設置面１１として、ポータブルスピーカ１が他の物体に設置されるときに使用される筐体３の面を掲げることができる。
【００２１】
すなわち、ポータブルスピーカ１がテーブル等の家具や棚やキャビネット等の物体の上面に設置されたときに、テーブル等の上面に対してほぼ平行になって対向する筐体３の面を、筐体３の設置面１１として掲げることができる。
【００２２】
設置面１１は、平面状に形成されており、ポータブルスピーカ１がテーブル等の上面に設置されたとき、筐体３の下端でほぼ水平に展開している。なお、ポータブルスピーカ１では、設置面１１が４つ設けられている（図３等参照）。
【００２３】
筐体３から延出するコード９として、音声信号等の信号を伝達するコードが採用されているが、信号伝達コードに代えてもしくは加えて電源コード等の他のコードを採用してもよい。
【００２４】
また、筐体３から延出するコードとして、図１等で示すように、筐体３に一体的に設けられて筐体３から延出しているコード９を掲げることができる。コード９は、紐状のコード本体部１３と、このコード本体部１３の先端部に設けられた端子１５（オス端子やメス端子）を備えて構成されている。
【００２５】
さらに、筐体３から延出するコードとして、筐体３に設けられたメス端子やオス端子等の端子（図示せず）に接続されて筐体３から延出するコードを掲げることができる。
【００２６】
コード本体部１３は、導線や信号線等を摩擦係数の高い材料（たとえば、非導電性の合成樹脂やゴム等のエラストマー、さらに具体的にはポリ塩化ビニル等）で被覆して構成されている。コード本体部１３の断面（長手方向に対して直交する平面による断面）はたとえば円形状に形成されている（図６等参照）。
【００２７】
筐体３のコード設置部７に設置されたコード９は、図４や図５等で示すように、コード本体部１３の一部（たとえば、長手方向におけるコード本体部１３の筐体３側の部位）が、所定の長さにわたって筐体３にほぼ固定されており、コード本体部１３の他の部位（たとえば、長手方向におけるコード本体部１３の先端側の部位）が、所定の長さで筐体３から延出している。
【００２８】
筐体３にほぼ固定されているコード本体部１３の部位は、たとえば線状（直線状の場合もあるし、曲線状の場合もある）に長く延びており、筐体３の設置面１１から僅かに突出している（図６（ｃ）等参照）。したがって、ポータブルスピーカ１を図示しないテーブル等の上面に設置した場合には、筐体３の設置面１１から突出している（たとえば僅かに突出している）コード本体部１３の部位が、テーブル等の上面に接触するようになっている。
【００２９】
なお、ポータブルスピーカ１を図示しないテーブル等の上面に設置した場合、筐体３の設置面１１から僅かに突出しているコード本体部１３の部位のみが、テーブル等の上面に接触する構成になっていてもよいし、筐体３の設置面１１から僅かに突出しているコード本体部１３の部位と、筐体３の設置面１１の一部とが、テーブル等の上面に接触する構成になっていてもよい。
【００３０】
上述したように、筐体３の設置面１１（１１Ａ，１１Ｂ，１１Ｃ，１１Ｄ）は複数（たとえば４つ）設けられており（図３参照）、筐体３から延出するコード９が、各設置面１１Ａ〜１１Ｄのそれぞれに設置されるように構成されている。さらに、筐体３から延出するコード９が、各設置面１１Ａ〜１１Ｄのうちの少なくとも１つの設置面を選択して設置されるように構成されている。
【００３１】
筐体３の各設置面１１Ａ〜１１Ｄの展開方向は、お互いに異なっている。各設置面１１Ａ〜１１Ｄのうちでポータブルスピーカ１の使用者によって選択された１つの設置面１１が図示しないテーブル等の上面に対向して、ポータブルスピーカ１がテーブル等に設置されるのである。このように設置面１１の選択をしてポータブルスピーカ１を設置することで、ポータブルスピーカ１の姿勢が選択されて、図示しないテーブル等の上面に設置されるのである。
【００３２】
コード本体部１３は、コード設置部７に対して着脱自在になっている。コード設置部７は、たとえば、第１のコード設置部（第１のコード保持部）１７と、第２のコード設置部（第２のコード保持部）１９とを備えて構成されている（図３、図６、図７等参照）。
【００３３】
第１のコード設置部１７に設置されたコード本体部１３は、設置面１１の展開方向では筐体３に対して移動しないようになっている。しかしながら、第１のコード設置部１７に設置されたコード本体部１３は、設置面１１に対して直交する方向では、筐体３から離れる方向に移動できるようになっている（図６（ｃ）の矢印Ａ１、図８（ｂ）の矢印Ａ２参照）。第２のコード設置部１９に設置されたコード本体部１３は、筐体３に固定され筐体３に対してほぼ移動しないようになっている。
【００３４】
また、コード設置部７（１７，１９）は、たとえば、設置面１１に形成された凹部で構成されている（図３、図６〜図９等参照）。
【００３５】
コード設置部７を構成する凹部は、図３等で示すように、溝状に形成されており、筐体３の表面に長く延びて設けられている。第２のコード設置部１９は、長く延びている凹部の一部に所定の短い長さで形成されている。第２のコード設置部１９以外の凹部のほとんどは、第１のコード設置部１７で構成されている。
【００３６】
第１のコード設置部１７の断面（長手方向に対して直交する平面による断面）は、図６や図８等で示すように、「Ｕ」字状に形成されている。第１のコード設置部１７の幅の値（図８の左右方向の寸法）は、コード本体部１３の外径の値よりも僅かに小さいかほぼ等しくなっており、第１のコード設置部１７の深さの値（図８の上下方向の寸法）は、コード本体部１３の外径の値よりも小さくなっている。なお、筐体３に対するコード９のぐらつきを防止するために、第１のコード設置部１７の深さの値が、コード本体部１３の半径の値（コード本体部１３の外径の１／２の値）よりも大きくなっている（たとえば、コード本体部１３の外径の値の２／３程度になっている）が、必ずしもこのような値になっている必要はなく、コード９のぐらつきを防止することができるのであれば、第１のコード設置部１７の深さの値を、コード本体部１３の半径の値より小さくしてもよい。
【００３７】
第１のコード設置部１７にコード本体部１３を設置するときには、コード本体部１３の被覆が僅かに弾性変形して第１のコード設置部１７に入り込むようになっている。第１のコード設置部１７にコード本体部１３を設置した状態では、コード本体部１３が筐体３の設置面（凹部が形成されていない平面状の設置面）から僅かに突出している（図６、図８等参照）。この突出している部位は、第１のコード設置部１７に沿っている（図４、図５等参照）。
【００３８】
また、第１のコード設置部１７にコード本体部１３を設置した状態では、コード本体部１３が筐体３の設置面１１の面内方向で容易には移動できないようになっている。ただし、第１のコード設置部１７に一旦設置されたコード本体部１３を、第１のコード設置部１７から取り外すことは、図６（ｃ）の矢印Ａ１、図８（ｂ）の矢印Ａ２で示すごとく、容易にできるようになっている。
【００３９】
第２のコード設置部１９の断面（長手方向に対して直交する平面による断面）は、図７や図９で示すように、「Ω」字状に形成されている。第２のコード設置部１９の円弧状部の内径の値は、コード本体部１３の外径の値よりも僅かに小さいかほぼ等しくなっており、第２のコード設置部１９の深さの値（図９の上下方向の寸法）は、コード本体部１３の外径の値とほぼ等しいか、コード本体部１３の外径の値よりも僅かに大きいか、コード本体部１３の外径の値よりも僅かに小さくなっている。また、第２のコード設置部１９の入口幅（第２のコード設置部の深さ方向で底部とは反対側にある入口の幅；図９の左右方向の寸法）Ｗ１は、コード本体部１３の外径の値よりも僅かに小さくなっている。
【００４０】
第２のコード設置部１９にコード本体部１３を設置するときには、コード本体部１３の被覆が弾性変形して第２のコード設置部１９に入り込むようになっている。第２のコード設置部１９にコード本体部１３を設置した状態では、コード本体部１３が筐体３に対してほぼ固定され容易には移動できないようになっている。
【００４１】
また、第２のコード設置部１９にコード本体部１３を設置した状態では、第２のコード設置部１９の入口幅Ｗ１がコード本体部１３の外径よりも小さくなっているので、コード本体部１３が第２のコード設置部１９から容易には抜け出ないようになっている。ただし、第２のコード設置部１９に一旦設置されたコード本体部１３を、第２のコード設置部１９から取り外すことは可能になっている（図７（ｃ）の矢印Ａ３、図９（ｂ）の矢印Ａ４参照）。
【００４２】
なお、第１のコード設置部１７と第２のコード設置部１９との境界で、凹部の断面の形状が急激に変化していることはない。第１のコード設置部１７と第２のコード設置部１９との間には、所定の短い長さの形状移行部（図示せず）が形成されており、この形状移行部で、凹部断面の形状が徐々になだらかに変化している。
【００４３】
筐体３は、図１、図２等で示すように、第１の部位（筐体本体部）２１と、第２の部位（蓋部）２３と、第３の部位（スピーカ側部位）２５とを備えている。
【００４４】
各部位２１，２３，２５は、たとえば、合成樹脂で構成されておりモールド成型で生成されている。筐体本体部２１には、スピーカ本体５等が一体的に設けられている。蓋部２３は、筐体本体部２１に対して、着脱自在になっている（図２参照）。すなわち、蓋部２３には、係合爪２７が設けられており、この係合爪２７が、筐体本体部２１に設けられている被係合部（図示せず）に適宜係合することで、蓋部２３が筐体本体部２１に対して着脱自在になっている。
【００４５】
筐体本体部２１には電源である電池を設置するための電池設置部（図示せず）が設けられており、蓋部２３を筐体本体部２１から取り外したときに、電池の交換をすることができるようになっている。スピーカ側部位２５は、筐体本体部２１に一体的に設けられてスピーカ本体を覆っている。
【００４６】
コード設置部７を構成する凹部は、図３、図４、図６、図７等で示すように、筐体本体部２１と蓋部２３との接合部（境界部）２９に形成されている。つまり、筐体３は、各部材（２１，２３）部材同士を組み合わせて構成されており、コード設置部７を構成する凹部は、部材（２１，２３）の境界に形成されている。接合部２９は、筐体本体部２１と蓋部２３との外側に位置し、筐体３の外面で長く延びて環状に形成されている。なお、蓋部２３が筐体本体部２１に対して必ずしも着脱自在になっている必要は無く、蓋部２３を筐体本体部２１に一旦設置した後、蓋部２３が筐体本体部２１から容易には分離できない構成になっていてもよい。
【００４７】
コード設置部７を構成する凹部は、接合部２９に沿って長く延びて形成されている。なお、コード設置部７を構成する凹部は、接合部２９の一部に形成されているが、接合部２９の全周にわたって環状に形成されていてもよい。
【００４８】
また、コード設置部７を構成する凹部は、図６等で示すように、筐体本体部２１側の部位３１と蓋部２３側の部位３３とで構成されており、凹部の幅方向（図６では上下方向）の中央部が接合部２９と一致しているが、必ずしも一致している必要はなく、凹部の幅方向の中央部が接合部２９対して偏っていてもよい（たとえば、図６（ｂ）において、接合部２９が上方向もしくは下方向に僅かに移動した構成であってもよい）。
【００４９】
ところで、図３〜図５で示すポータブルスピーカ１では、コード設置部７を構成する凹部が、筐体本体部２１と蓋部２３との接合部２９だけでなく、蓋部２３にも形成されているが、蓋部２３に形成されている凹部、接合部２９に形成されている凹部のいずれか一方の凹部を削除してもよい。すなわち、コード設置部７が、接合部２９、蓋部２３の少なくともいずれかに形成されている構成であってもよい。
【００５０】
ここで、ポータブルスピーカ１についてさらに詳しく説明する。説明の便宜のために、ポータブルスピーカ１（筐体３）の中心を通り、蓋部２３とスピーカ側部位２５とをお互いに結ぶ方向に延びている軸Ｃ１を、ポータブルスピーカ１（筐体３）の中心軸とする（図３等参照）。
【００５１】
ポータブルスピーカ１の筐体３は、図３等で示すように、中心軸Ｃ１の延伸方向における一方の側の面（蓋部２３側の面）を底面３５とし、中心軸Ｃ１の延伸方向における他方の側の面（スピーカ側部位２５側の面）を上面３７とする柱状に形成されている。底面３５と上面３７とは、中心軸Ｃ１に対してほぼ直交している。
【００５２】
底面３５は、各角部が円弧状になっている正三角形状に形成されている。上面３７は、円形状に形成されている。中心軸Ｃ１の延伸方向から筐体３を見ると、上面３７の中心と底面３５の中心とがお互いに一致しており、上面３７の内側に底面３５が存在している。
【００５３】
また、筐体３は、中心軸Ｃ１の延伸方向で、断面（中心軸Ｃ１に直交する平面による断面）形状が徐々に変化している。すなわち、上記断面の外形が、底面３５では、正三角状になっているが、上面３７に近づくにしたがって、次第に円形状になるのである。
【００５４】
ただし、筐体３の側面のうちで各設置面１１Ｂ，１１Ｃ，１１Ｄになっている部位は、平面状になっている。設置面１１Ｂは、図３で示すように、底面３５の１つの辺と、逆「Ｖ」字状の二点鎖線Ｌ１（図４等では図示せず）とで囲まれた二等辺三角形状（頂角が円弧状になっている二等辺三角形状）になっている。設置面１１Ｃ，１１Ｄは、設置面１１Ｂと同様な形状になっており、各設置面１１Ｂ，１１Ｃ，１１Ｄは、中心軸Ｃ１を中心として１２０°ずつ回動した箇所に位置している。設置面１１Ａは、底面３５とほぼ一致している。
【００５５】
筐体３は、図３等で示すように、所定の平面（中心軸Ｃ１に直交する平面であって底面３５側に位置している平面）で、筐体本体部２１と蓋部２３とに分割されている。上記所定の平面のところに位置する接合部２９は、各角部が円弧状である正三角形状になっている。
【００５６】
コード９は、筐体本体部２１の所定の部位から延出している。この所定の部位は、正三角形状に形成されている接合部２９の１つの角部の近傍に位置している。
【００５７】
接合部２９に設けられているコード設置部７は、図３等で示すように、三角形状に形成されている接合部２９の１つの辺（コード９の延出部に隣接している辺）に設けられている。
【００５８】
接合部２９に設けられているコード設置部７のうちの第２のコード設置部１９は、コード設置部７の長手方向で、コード９が延出している箇所とは反対側（図３（ａ）の右側）に設けられている。
【００５９】
底面３５に設けられているコード設置部７は、図３（ｂ）等で示すように、「Ｖ」字状に延びて底面３５に設けられている。「Ｖ」字の一方の端部は、コード９が延出している箇所の近傍に位置している。「Ｖ」字の屈曲部は、円弧状に形成されており、接合部２９に設けられているコード設置部７の反対側（図３（ｂ）の下側）に位置している。「Ｖ」字の他方の端部は、コード９の延出部とは反対側（図３（ｂ）の右側）に位置している。
【００６０】
第２のコード設置部１９は、「Ｖ」字の各辺のそれぞれに１つずつ設けられており、一方の第２のコード設置部１９は、「Ｖ」字の一方の辺で「Ｖ」字の屈曲部の近傍に位置しており、他方の第２のコード設置部１９は、「Ｖ」字の他方の辺で「Ｖ」字の他方の端部の近傍に位置している。また、コード設置部７は、蓋部２３の側面にも設けられており（図３（ａ）参照符号７ａ）、この蓋部２３の側面に設けられているコード設置部７ａを通って、コード９が、「Ｖ」字状の凹部に設置されるようになっている。
【００６１】
なお、底面３５に設けられているコード設置部７において、「Ｖ」字の一方の辺を削除して、直線状の凹部にしてもよい。また、底面３５にコード設置部が設けられていない構成であってもよい。
【００６２】
ここで、接合部２９に設けられているコード設置部７へのコード本体部１３に設置についてさらに説明する。図６（ａ）、図７（ａ）で示すように、蓋部２３から筐体本体部２１が離れており、コード本体部１３が蓋部２３と筐体本体部２１とから離れている状態で、蓋部２３を筐体本体部２１に設置すると、蓋部２３と筐体本体部２１とが一体化する（図６（ｂ）、図７（ｂ）参照）。図６（ｂ）や図７（ｂ）で示す状態で、コード設置部７にコード本体部１３を設置すると、筐体３とコード本体部１３とが一体化する（図６（ｃ）、図７（ｃ）参照）。
【００６３】
なお、図６は第１のコード設置部１７におけるコード本体部１３の設置を示しており、図７は第２のコード設置部１９におけるコード本体部１３の設置を示している。
【００６４】
また、図６（ａ）、図７（ａ）で示すように蓋部２３から筐体本体部２１が離れている状態で、筐体本体部２１の凹部（筐体本体部側部位３１）、蓋部２３の凹部（蓋部側部位３３）のいずれか一方に、コード本体部１３を設置し、この後に、蓋部２３と筐体本体部２１とを一体化するようにしてもよい。
【００６５】
次に、底面３５に設けられているコード設置部７へのコード本体部１３に設置についてさらに説明する。図８（ａ）、図９（ａ）で示すように、コード本体部１３が蓋部２３から離れている状態で、コード設置部７にコード本体部１３を設置すると、筐体３（蓋部２３）とコード本体部１３とが一体化する（図８（ｃ）、図９（ｂ）参照）。
【００６６】
なお、図８は第１のコード設置部１７におけるコード本体部１３の設置を示しており、図９は第２のコード設置部１９におけるコード本体部１３の設置を示している。
【００６７】
筐体３を構成している蓋部２３は、図３等で示すように、正三角形状の底板部３９と、この底板部３９の外周の全周から若干斜めに傾斜して起立している筒状の側板部４１とを備えた枡状に形成されている。側板部４１の先端部（底板部３９と反対側の端部）が接合部２９を構成している。蓋部２３をモールド成型する場合、接合部２９を含む平面（中心軸Ｃ１に直交する平面）を、図示しない上型と下型とのパーティング面にすれば、蓋部２３でのアンダーカットが発生していないようになっている。
【００６８】
筐体本体部２１の外壁部の形状は、蓋部２３の側板部４１を延長した筒状（蓋部２３側の断面形状が正三角形状であり、スピーカ側部位２５側の断面が円形状である筒状）になっている。筐体本体部２１の外壁部の内部には、スピーカ本体５や図示しない回路基板を設置するための部位や図示しない電池設置部が設けられている。筐体本体部２１をモールド成型する場合、スピーカ側部位２５側の円形状の端部を含む面（中心軸Ｃ１に直交する平面）を、図示しない上型と下型とのパーティング面にすれば、筐体本体部２１でのアンダーカットがほぼ発生していないようになっている。
【００６９】
ここで、ポータブルスピーカ１の使用の態様について説明する。
【００７０】
まず、接合部２９に設けられているコード設置部７にコード本体部１３を設置するか（図４参照）、もしくは、底面３５に設けられているコード設置部７にコード本体部１３を設置する（図５参照）。
【００７１】
続いて、コード本体部１３が設置された面を設置面にして、ポータブルスピーカ１をテーブル等の上面に設置する。
【００７２】
すなわち、図４に示す態様では、設置面１１Ｂをポータブルスピーカ１の下面にし、この下面がテーブル等の上面と対向するようにして、ポータブルスピーカ１をテーブル等の上面に設置する。これにより、コード設置部７に設置されコード設置部７（筐体３の側面）から僅かに突出しているコード本体部１３と、筐体３の外面の一部とが、テーブル等の上面に接触する。
【００７３】
また、図５に示す態様では、設置面１１Ａをポータブルスピーカ１の下面にし、この下面がテーブル等の上面と対向するようにして、ポータブルスピーカ１をテーブル等の上面に設置する。これにより、コード設置部７に設置されコード設置部７（蓋部２３の底面３５）から僅かに突出しているコード本体部１３のみがテーブル等の上面に接触する。
【００７４】
続いて、コード９の端子１５を、図示しないデジタルオーディオプレーヤ（ポータブルプレーヤ）の端子に接続し、上記ポータブルプレーヤを稼動すれば、ポータブルスピーカ１から音声が出力される。
【００７５】
ポータブルスピーカ１によれば、ポータブルスピーカ１から延出しているコード９が筐体３の設置面１１に設置され、この設置されたコード９が滑り止めとなる。したがって、ポータブルスピーカ１の構成部品を増やすことなく（滑り止めやフットを別途設けることなく）、また、ポータブルスピーカ１の筐体３の材質を変更することなく、設置された状態での、ポータブルスピーカ１の位置ずれがしにくくなる。
【００７６】
すなわち、コード９を用いてフット等の代わりとし、部品点数を増加することなく、テーブル上等に設置されたポータブルスピーカ１の動きを防止することができる。
【００７７】
また、ポータブルスピーカ１の動きを防止することに加え、ポータブルスピーカ１が設置されているテーブル等にコード９を密着させることで音楽再生時のポータブルスピーカ１の振動が軽減され音質を向上させることができる。
【００７８】
また、ポータブルスピーカ１によれば、設置面１１が複数設けられており、各設置面１１のうちの選択された設置面１１にコード９を設置できるので、このコード９が設置された設置面を、テーブル等の上面に対向させれば、ポータブルスピーカ１の設置姿勢を選択することができる。
【００７９】
また、選択された設置面にのみコード９を設置すれば、テーブル等に設置されたポータブルスピーカ１の上面や側面にコード９が現れることがなく（構成部品として採用されていないフットも、もちろん現れることがなく）、テーブル等に設置されたポータブルスピーカ１の外観が悪化することが無い。
【００８０】
さらに、ポータブルスピーカ１によれば、コード設置部７が凹部で構成されているので、筐体３からはずれにくいようにしてコード本体部１３を筐体３に確実に設置することができるとともに、コード本体部１３のほとんどの部分が凹部内に入り込むので、コード本体部１３が傷付くことを防止することができる。
【００８１】
また、ポータブルスピーカ１によれば、コード設置部７を構成している凹部が、接合部２９に形成されている筐体本体部側部位３１と、接合部２９に形成されている蓋部側部位３３とで構成されているので、筐体本体部側部位３１や蓋部側部位３３をモールド成型で形成する場合、筐体本体部側部位３１や蓋部側部位３３におけるアンダーカットの発生を無くすことができ、金型の構造を簡素化することができる。
【００８２】
図６（ａ）を参照して詳しく説明する。蓋部２３をモールド成型する場合、蓋部２３を構成している側板部４１の上端（接合部２９）を含む平面を金型のパーティング面とする。コード本体部１３が設置される凹部を構成している蓋部側部位３３は、側板部４１の外面（図６（ａ）の左側に位置する斜めの線）から内部側にへこんでおり、また、蓋部側部位３３は、側板部４１の上端から下側にへこんでいる。さらに、蓋部側部位３３の深さ（図６（ａ）の左右方向の寸法）は、側板部４１の上端から下側に向かうにしたがって次第に小さくなっている。これにより、蓋部２３のモールド成型後、金型の上型を下型から離すときに、金型に蓋部側部位３３が引っ掛かることが無くなるのである。
【００８３】
なお、上述したように、蓋部側部位３３を除く蓋部２３の部位も、アンダーカットの発生が無いように形成されていれば、金型の構成を一層簡素化することができる。
【００８４】
さらに、蓋部２３と同様にして、筐体本体部２１においても、アンダーカットの発生を無くすことができ、金型の構造を簡素化することができる。
【００８５】
ところで、ポータブルスピーカ１では、筐体３とコード９とが同じ色になっているが、筐体３とコード９との色を変えてもよい。すなわち、筐体３を黒色とし、コード９を白色にしてもよい。これにより、コード本体部１３のコード設置部７への設置が的確になされているか否かを確認しやすくなる。
【００８６】
さらに、筐体３を構成している筐体本体部２１、蓋部２３、スピーカ側部位２５を、お互いが異なる色にしてもよい。
【００８７】
上記説明では、コード設置部７が凹部で構成されているが、図１０で示すように、コード設置部７を突起４３で構成してよい。
【００８８】
図１０（ａ）は、第１のコード設置部１７を示す図であって、図６（ｃ）や図８（ｂ）に対応した図である。図１０（ａ）には、凹部や突起が形成されていないが、それでも第１のコード設置部１７を形成しているのである。
【００８９】
図１０（ｂ）は、第２のコード設置部１９を示す図であって、図７（ｃ）や図９（ｂ）に対応した図である。突起４３は、「Ｌ」字状に形成されており、一対の突起４３がコード本体部１３を挟んで保持している。
【００９０】
コード本体部１３の設置態様として、図３〜図５等で示したもののほか、図１１〜図１６で示すもの等、様々な態様を掲げることができる。
【００９１】
図１１は、図３（ａ）に対応した図である。図１１で示すものでは、コード９が、筐体３の筐体本体部２１にのみ直線的に設置されるようになっている。たとえば、ポータブルスピーカ１を正面視した場合、コード設置部７に設置されたコード９が、中心軸Ｃ１と重なり、接合部２９の近傍からスピーカ側部位２５に向かって延びている。この後、筐体３から延出している。
【００９２】
図１２も、図３（ａ）に対応した図である。図１２で示すものも、コード９が、接合部２９のところと筐体本体部２１にのみ設置されるようになっている。たとえば、ポータブルスピーカ１を正面視した場合、コード設置部７に設置されたコード９が、接合部２９の一方の端部側から他方の端部側に直線的に延びており、この後、コード設置部７に設置されたコード９が、「Ｕ」字状に曲がって、筐体本体部２１に設置されており、この後、コード設置部７に設置されたコード９が、中心軸Ｃ１と重なり、接合部２９の近傍からスピーカ側部位２５に向かって延びている。この後、筐体３から延出している。
【００９３】
図１３も、図３（ａ）に対応した図である。図１３で示すものでは、コード９が、筐体３に設置された後、一旦、筐体３から離れ、再び筐体３に設置されるようになっている。たとえば、ポータブルスピーカ１を正面視した場合、コード設置部７に設置されたコード９が、接合部２９の一方の端部側の近傍から、中心軸Ｃ１と平行になって筐体本体部２１を通り、一旦筐体本体部２１の外側に延出している。この外側に延出したコード９が、「Ｕ」字状に曲がって再び筐体本体部２１を通り（中心軸Ｃ１と平行になって接合部２９の他方の端部側で筐体本体部２１を通り）、この後、接合部２９を通って、接合部２９の他方の端部から延出している。これにより、ポータブルスピーカ１から延出するコード９の長さ（端子１５側である先端側の長さ）を調節することができる。
【００９４】
図１４も、図３（ａ）に対応した図である。図１４で示すものは、図１２で示すものと同じようにして、コード９が、接合部２９のところと筐体本体部２１にのみ設置されるようになっている。ただし、図１４で示すものは、ポータブルスピーカ１を正面視すると、コード設置部７に設置されたコード９が、接合部２９の一方の端部側から他方の端部側に直線的に延びており、この後、コード設置部７に設置されたコード９が、中心軸Ｃ１に向かい斜めになって、筐体本体部２１で延びており、この後、筐体３から延出している。
【００９５】
図１５で示すものでは、接合部２９にのみ、コード設置部７が形成されている。なお、図１５（ａ）は、図３（ａ）に対応した図である。また、図１５で示すものでは、接合部２９のほぼ全長にわたったコード設置部７が形成されているが、接合部２９の一部（たとえば、三角形状の接合部２９の一つの辺もしくは二つの辺）にコード設置部７が形成されている構成であってもよい。
【００９６】
図１６で示すものでは、図３等で示すものと同様にして、蓋部２３の底板部３９（筐体３の底面３５）に、コード設置部７が形成されている。ただし、図１６で示すものでは、コード設置部７が三角形状になっている。図１６（ａ）は、図３（ａ）に対応した図である。
【００９７】
なお、上記説明では、接合部２９に形成されているコード設置部７が、筐体本体部２１に形成されている筐体本体部側部位３１と蓋部２３に形成されている蓋部側部位３３とで構成されているが、図１７や図１８で示すように、蓋部２３のみに、凹部が形成されていてもよい。なお、図１７（ａ）は、図６（ａ）に対応した図であり、図１７（ｂ）は、図６（ｂ）に対応した図であり、図１７（ｃ）は、図６（ｃ）に対応した図であり、図１８（ａ）は、図７（ａ）に対応した図であり、図１８（ｂ）は、図７（ｂ）に対応した図であり、図１８（ｃ）は、図７（ｃ）に対応した図である。
【００９８】
また、筐体本体部２１のみに、凹部が形成されていてもよい。すなわち、接合部２９に形成されているコード設置部７を構成する凹部が、筐体本体部２１、蓋部２３のいずれか一方にのみ形成されている構成であってもよい。
【００９９】
さらに、上記説明では、筐体３の設置面１１として、ポータブルスピーカ１がテーブル等の上面に設置されるときのものを掲げているが、他の態様の設置面として、他の機器（たとえば、ポータブルスピーカに接続されるデジタルオーディオプレーヤ）が設置される面を掲げることができる。すなわち、デジタルオーディオプレーヤが設置されたときにこのデジタルオーディオプレーヤの平面状の設置面に対してほぼ平行になって対向する面を、筐体３の設置面として掲げることができる。
【０１００】
たとえば、図１９に示すポータブルスピーカ１ａを考えた場合、ポータブルスピーカ１ａの筐体（直方体状の筐体）３の設置面１１は、筐体の上面であって平面状に形成されている。そして、この上面（設置面）１１に、コード設置部７が形成されており、コード本体部１３が設置されるようになっている。さらに、コード設置部７によってコード本体部１３が設置された上面１１に、上記ポータブルオーディオプレーヤが載置されて設置されるようになっている。
【０１０１】
なお、図１９に示す態様では、設置面１１が水平方向に展開しているが、設置面１１が斜めの方向もしくは垂直方向に展開している構成であってもよい。
【０１０２】
また、ポータブルスピーカの形態やコード設置部の形態は、上述した態様以外のさらなる別の態様に変形することができる。
【０１０３】
さらに、上記実施形態では、ポータブルスピーカ１を例に掲げて説明したが、ポータブルスピーカ１以外の電気機器（ポータブル型の電気機器や電子機器；たとえば、ポータブルヘッドホンアンプ、ＡＣアダプタ、デジタルフォトフレーム等）にも、上記実施形態の態様を適用することができる。
【符号の説明】
【０１０４】
１  ポータブルスピーカ（電気機器）
３  筐体
７  コード設置部
９  コード
１１  設置面
２１  筐体本体部（第１の部位）
２３  蓋部（第２の部位）
【図１】
2012109318.tif 000003
【図２】
2012109318.tif 000004
【図３】
2012109318.tif 000005
【図４】
2012109318.tif 000006
【図５】
2012109318.tif 000007
【図６】
2012109318.tif 000008
【図７】
2012109318.tif 000009
【図８】
2012109318.tif 000010
【図９】
2012109318.tif 000011
【図１０】
2012109318.tif 000012
【図１１】
2012109318.tif 000013
【図１２】
2012109318.tif 000014
【図１３】
2012109318.tif 000015
【図１４】
2012109318.tif 000016
【図１５】
2012109318.tif 000017
【図１６】
2012109318.tif 000018
【図１７】
2012109318.tif 000019
【図１８】
2012109318.tif 000020
【図１９】
2012109318.tif 000021